(57)【特許請求の範囲】
【請求項１】
１対の画像データとテキストデータからなるデータセットを表示する表示システムにおいて、
複数の前記画像データを記憶する画像データ記憶手段と、
複数の前記テキストデータを記憶するテキストデータ記憶手段と、
前記画像データを前記画像データ記憶手段から読み出すととともに、該画像データと対になる前記テキストデータを前記テキストデータ記憶手段から読み出すデータセット読出し手段と、
読み出された前記データセットを１画面で表示する表示手段と、
ユーザ操作によって、表示順座標軸、及び該表示順座標軸における方向が入力される遷移情報入力手段と、を備え、
前記表示手段は、前記画像データを１つの領域内に収めた画像カードとして描画するとともに、前記テキストデータを１つの領域内に収めたテキストカードとして描画し、
前記画像データ及び／又は前記テキストデータは、対となる前記画像データ又は前記テキストデータの情報を具備するとともに、２以上の前記表示順座標軸からなる表示順座標系における表示順座標を具備し、
前記遷移情報入力手段によって入力された前記表示順座標軸、及び方向に基づいて、前記表示手段に表示されている前記データセットの隣に位置する前記データセットを、前記データセット読出し手段が読み出して前記表示手段に表示する、ことを特徴とする表示システム。
【請求項２】
１対の画像データとテキストデータからなるデータセットを表示する表示システムにおいて、
複数の前記画像データを記憶する画像データ記憶手段と、
複数の前記テキストデータを記憶するテキストデータ記憶手段と、
前記画像データと前記テキストデータの組み合わせ情報を含むデータセット情報を、記憶するデータセット情報記憶手段と、
前記データセット情報を前記データセット情報記憶手段から読み出し、該データセット情報に基づいて、前記画像データを前記画像データ記憶手段から読み出すととともに、該画像データと対になる前記テキストデータを前記テキストデータ記憶手段から読み出すデータセット読出し手段と、
読み出された前記データセットを１画面で表示する表示手段と、
ユーザ操作によって、表示順座標軸、及び該表示順座標軸における方向が入力される遷移情報入力手段と、を備え、
前記表示手段は、前記画像データを１つの領域内に収めた画像カードとして描画するとともに、前記テキストデータを１つの領域内に収めたテキストカードとして描画し、
前記データセット情報は、２以上の前記表示順座標軸からなる表示順座標系における表示順座標を具備し、
前記遷移情報入力手段によって入力された前記表示順座標軸、及び方向に基づいて、前記表示手段に表示されている前記データセットの隣に位置する前記データセットを、前記データセット読出し手段が読み出して前記表示手段に表示する、ことを特徴とする表示システム。
【請求項３】
前記表示手段は、テキストデータをテキストカードとして描画するときに、該テキストカード領域内に収まるよう所定の文字数又は所定の文字サイズで表示する、ことを特徴とする請求項１又は請求項２に記載の表示システム。
【請求項４】
前記画像データ及び／又は前記テキストデータは、３軸からなる表示順座標系における表示順座標を具備する、ことを特徴とする請求項１乃至請求項３のいずれかに記載の表示システム。
【請求項５】
前記表示順座標系のうちの１軸が時間軸である、ことを特徴とする請求項１乃至請求項４のいずれかに記載の表示システム。
【請求項６】
前記データセットを挿入し、又は前記データセットを削除し、又は前記表示順座標を変更する、データ編集手段をさらに備えた、ことを特徴とする請求項１乃至請求項５のいずれかに記載の表示システム。
【発明の詳細な説明】
【技術分野】
【０００１】
本願発明は、画像及び文字情報を表示する技術に関するものであり、より具体的には、あらかじめ定められた関連づけに基づいて画像及び文字情報を遷移させながら、スマートフォン等のデバイスのディスプレイに表示する表示システムと、このシステムで利用できるデータ構造に関する。
【背景技術】
【０００２】
近年、デジタルカメラの普及によって、比較的気軽にシャッターが切られるようになり、その結果、大量の写真が保存される傾向にある。従来のフィルムカメラの場合、それほど多くの写真が残されることがないためアルバムに綴じて整理するのが主流であったが、デジタルカメラの場合は、数多くの写真（データ）が対象になることもあって、コンピュータを用いて整理するのが一般的となっている。
【０００３】
また、フィルムカメラ写真をアルバムで整理するには、概ね時間の経過に沿って写真を並べる程度で十分であったが、デジタルカメラ撮影のように一度の機会で多様な写真が得られる場合、時間という要素だけでなく他の要素を用いた方が整理しやすいこともある。特に大量の写真データを対象としたときは、人が判断しながら整理するのは困難であり、したがってコンピュータを利用して整理することになるが、このとき整理するための要素（条件）が極めて重要となる。
【０００４】
例えば、結婚披露宴で記念写真を撮るケースを考える。新郎新婦をはじめ多くの来賓者が被写体となり、同じ時間帯に様々なシーンが撮影される。来賓者の祝辞の場面では、その来賓者の姿が撮影されるのと同時に新郎新婦の表情も撮られるし、歓談中はそれぞれのテーブルの状況が撮影される。また、新婦の謝辞のときも、新婦の表情はもとより、両親の表情、来賓者の状況など種々のシーンが撮影される。このように多様な写真を、撮影した時間の順で機械的に並べただけでは、後日振り返ったときに当日の臨場感が伝わりにくい。カメラマンは必ずしもストーリーを描きながら撮影順を決めているわけではなく、ましてや、複数のカメラマンによって撮影されていれば、単に撮影時間順に並べられた写真は味気ないものとなってしまう。時間軸に加え、撮影された人物（あるいはテーブル）に着目して写真を整理すれば、その日の新婦の父を追った閲覧も可能となるし、ケーキカットのシーンだけでいろいろな表情を楽しむことができるなど、見る者の興味に応じて閲覧することができるようになって好適である。
【０００５】
このように複数の要素を用いてデータを整理する、すなわち関連付けることができれば、他にも有効に利用することができる。例えば、スマートフォンで画像を送りながらストーリーを読み進めるコンテンツの場合、シーンや場所は変わりながらも一筋の流れで展開されていくのが一般的である。ところが、時間軸に加えて、登場人物や場所という要素を用いてデータどうしを関連付けると、興味深いストーリー展開を実現することができる。具体的には、主役がある行動をとった時、主役の周辺では何が起こっているのか、あるいは主役とは異なる人物はその時刻に何をしていたのか、このようなシーンをユーザの要求に応じて表示させることができるわけである。
【０００６】
特許文献１では、複数の電子文書を並列表示し、選択した電子文書のページを送ることによって、電子文書間で対応するページを並べて閲覧できる技術について提案している。
【先行技術文献】
【特許文献】
【０００７】
【特許文献１】特開２０１４−２１１７８８号公報
【発明の概要】
【発明が解決しようとする課題】
【０００８】
特許文献１では、着目した電子書籍のページと関連する他の電子書籍のページを、キーワード検索によって自動抽出する技術についても提案している。しかしながら、結婚披露宴での写真、あるいは画像を使ったストーリー展開などのように、データ編集者が意図をもって定めた要素に従って、データ（特許文献１ではページ）が関連付けられるわけではない。換言すれば、データ編集者が提供する表示要素に基づいて、閲覧ユーザが所望の表示順を選択しながらデータを閲覧していくことは、特許文献１では実現できない。
【０００９】
本願発明の課題は、従来技術が抱える問題を解決することであり、すなわち、閲覧ユーザの興味に応じて、データの表示順を任意に選択することのできる表示システム、及びそのシステムに利用可能なデータ構造を提供することである。
【課題を解決するための手段】
【００１０】
本願発明は、時間軸など１軸のみで定めていた従来のデータ表示順に代えて、２軸、あるいは３軸以上の表示順を各データに具備させるという点に着目してなされたものであり、これまでにない発想に基づいて行われたものである。
【００１１】
本願発明の表示システムは、データセット（１対の画像データとテキストデータ）を表示する表示システムであり、画像データ記憶手段と、テキストデータ記憶手段、データセット読出し手段、表示手段、遷移情報入力手段を備えたものである。このうち画像データ記憶手段は、複数の画像データを記憶するもので、テキストデータ記憶手段は、複数のテキストデータを記憶するものである。またデータセット読出し手段は、画像データを画像データ記憶手段から読み出すととともに、この画像データと対になるテキストデータをテキストデータ記憶手段から読み出すものである。そして表示手段は、読み出されたデータセットを１画面で表示するもので、遷移情報入力手段は、ユーザ操作によって表示順座標軸とこの表示順座標軸における方向を入力するものである。なお表示手段は、画像データを１つの領域内に収めた「画像カード」として描画するとともに、テキストデータを１つの領域内に収めた「テキストカード」として描画する。画像データ（又はテキストデータ）は、対となるテキストデータ（又は画像データ）の情報を具備するとともに、２以上の表示順座標軸からなる表示順座標系における表示順座標を具備している。データセット読出し手段が、遷移情報入力手段によって入力された表示順座標軸とその方向に基づいて、表示手段に表示されているデータセットの隣に位置するデータセットを読み出し、これを表示手段に表示する。
【００１２】
本願発明の表示システムは、データセット情報記憶手段を備えたものとすることもできる。データセット情報は、画像データ（又はテキストデータ）に代えて、画像データとテキストデータの組み合わせ情報を含み、かつ２以上の表示順座標軸からなる表示順座標系における表示順座標を具備する。この場合のデータセット読出し手段は、データセット情報をデータセット情報記憶手段から読み出し、このデータセット情報に基づいて、画像データを画像データ記憶手段から読み出すととともに、この画像データと対になるテキストデータをテキストデータ記憶手段から読み出す。
【００１３】
本願発明の表示システムは、テキストデータをテキストカードとして描画するときに、このテキストカード領域内に収まるよう所定の文字数（又は所定の文字サイズ）で表示する表示手段を備えたものとすることもできる。
【００１４】
本願発明の表示システムは、画像データやテキストデータが３軸からなる表示順座標系における表示順座標を具備するものとすることもできる。
【００１５】
本願発明の表示システムは、表示順座標系のうちの１軸を時間軸としたものとすることもできる。
【００１６】
本願発明の表示システムは、データ編集手段をさらに備えたものとすることもできる。このデータ編集手段は、データセットを所定位置（つまり所定の表示順座標）に挿入し、データセットを削除し、又は表示順座標を変更することができるものである。
【００１７】
本願発明のデータ構造は、１対の画像データとテキストデータからなるデータセットを含むデータ構造である。画像データは、画像情報を１の画像カードとして表示手段に表示するためのデータであり、テキストデータは、テキスト情報を１のテキストカードとして表示手段に表示するためのデータである。また、画像データ（テキストデータ）は、２軸以上からなる表示順座標系における表示順座標を有するものである。また本願発明のデータ構造は、データセット情報をさらに備えたものとすることもできる。データセット情報は、画像データとテキストデータの組み合わせ情報を含み、かつ画像データ（又はテキストデータ）に代えて表示順座標を有する。さらに本願発明のデータ構造は、表示順座標系のうちの１軸を時間軸としたものとすることもできる。
【発明の効果】
【００１８】
本願発明の表示システム、及びデータ構造には、次のような効果がある。
（１）数多くの、しかも多種多様なデータ（例えば写真データ）であっても、比較的容易にかつ閲覧しやすいように整理することができる。
（２）閲覧ユーザの好みに応じた表示順を提供できるので、興味深くデータを閲覧することができる。
（３）画像とともにテキストも表示されることから、写真に関する感想や記録も同時に把握することができる。あるいは、小説の場合ではストーリーと同時に挿絵を見ることができ、漫画であれば台詞や背景音も感得することができる。
【図面の簡単な説明】
【００１９】
【図１】（ａ）は縦向きのスマートフォンに表示した画像データとテキストデータとデータセットを説明するモデル図、（ｂ）は横向きのスマートフォンに表示した画像データとテキストデータとデータセットを説明するモデル図。
【図２】２軸からなる表示順座標系を示すモデル図。
【図３】コンテンツを構成する複数のデータセットを、２軸からなる表示順座標系に配置した状態を示すモデル図。
【図４】データセットの遷移操作の一例を示す説明図。
【図５】３軸からなる表示順座標系を示すモデル図。
【図６】（ａ）は、コンテンツを構成する複数のデータセットを、Ｚ＝１であるＸ−Ｙ座標系に配置した状態を示すモデル図、（ｂ）は、Ｚ＝２であるＸ−Ｙ座標系に配置した状態を示すモデル図。
【図７】本願発明の表示システムを示すブロック図。
【図８】データセット情報を用いる場合の本願発明の表示システムを示すブロック図。
【図９】データセット読出し手段の機能を説明する説明図。
【発明を実施するための形態】
【００２０】
本願発明の表示システム、及びデータ構造の例を、図に基づいて説明する。
【００２１】
１．全体概要
本願発明の表示システムは、１対の画像データとテキストデータからなる「データセット」を表示するもので、タブレット型端末やスマートフォン、あるいはパソコンといったデバイスに、複数のデータセットを所定の順で表示展開するものである。なおここでは便宜上、デバイスとしてスマートフォンを用いた場合で説明する。
【００２２】
図１は、画像データＤｐと、テキストデータＤｔ、データセットＤｓを説明するモデル図であり、（ａ）は縦向きのスマートフォンＳｆに表示したデータセットＤｓ、（ｂ）は横向きのスマートフォンＳｆに表示したデータセットＤｓを示している。この図に示すように画像データＤｐは、スマートフォンＳｆのディスプレイ（表示手段１０７）に画像情報を表示するためのものであり、テキストデータＤｔは、表示手段１０７に文字情報を表示するためのものである。なおデータセットＤｓは、図１に示すように表示手段の１画面内に収まるように表示される。
【００２３】
データセットＤｓは、画像と文章によって展開されるストーリーや、結婚披露宴や同窓会などの記念写真集を構成する要素であり、つまり複数のデータセットＤｓによってストーリーや写真集など（以下、「コンテンツ」という。）が形成される。そして、複数のデータセットＤｓは、それぞれ表示順（つまりページ）が定められており、例えばユーザがフリックやスワイプといった操作を行うことで、１つ次のデータセットＤｓを表示したり（前進）、１つ前のデータセットＤｓを表示したり（後退）、所望の遷移が実行される。ここで、ひとつのデータセットＤｓに着目すると、２以上の方向に次（又は前）のデータセットＤｓが配置されており、フリック（スワイプ）の方向にしたがって、対応するデータセットＤｓが表示される。
【００２４】
以下、本願発明の表示システム、及びデータ構造を構成する主要な要素ごとに詳述する。
【００２５】
２．データ構造
既述のとおりデータセットＤｓは、１つの画像データＤｐと１つのテキストデータＤｔの組み合わせによって構成される。言い換えれば、１つの画像データＤｐは、１つのテキストデータＤｔと関連付けられるわけである。
【００２６】
（画像データ）
図１に示すように画像データＤｐは、表示手段１０７に表示されると、１つの領域内に図画や写真といった画像情報を収めたカード（以下、「画像カード」という。）として描画されるデータである。なお、画像カードの領域の大きさや形状は、画像データＤｐごとに任意に設計することができる。また画像データＤｐは、対となるテキストデータＤｔの識別子情報をメタデータとして具備することができる。
【００２７】
（テキストデータ）
図１に示すようにテキストデータＤｔは、表示手段１０７に表示されると、１つの領域内に文字情報を収めたカード（以下、「テキストカード」という。）として表示されるデータである。なお、テキストカードの領域の大きさや形状は、テキストデータＤｔごとに任意に設計することができる。テキストデータＤｔが有する文字情報の数（文字数）は、表示手段１０７に表示したときに、所定の文字サイズでテキストカード領域内に収まるよう入力できる文字数を制限することもできるし、テキストカード領域内に収まるよう文字サイズを可変とすることで、入力できる文字数を無制限とすることもできる。またテキストデータＤｔは、画像データＤｐに代えて（あるいは加えて）、対となる画像データＤｐの識別子情報をメタデータとして具備することができる。
【００２８】
（データセット情報）
画像データＤｐ（あるいはテキストデータＤｔ）のメタデータとして、対となるテキストデータＤｔ（画像データＤｐ）の識別子情報を具備することができると説明したが、これに代えて「データセット情報」にデータの組み合わせ情報を具備させることもできる。すなわち、データセット情報を用意し、このデータセット情報に画像データＤｓの識別子とテキストデータＤｔの識別子の組み合わせ情報を具備させるわけである。
【００２９】
（表示順座標）
図２は、２軸からなる表示順座標系を示すモデル図である。この図では便宜上、横方向の表示順座標軸をＸ軸、縦方向の表示順座標軸をＹ軸としている。この図に示すようにデータセットＤｓは、表示順座標系における表示順座標を備えており、換言すればデータセットＤｓは、表示順座標系の指定位置に配置されるわけである。図２では、２つのデータセットＤｓが配置され、一方（左下）のデータセットＤｓは（Ｘａ，Ｙａ）に配置されており、他方（右上）のデータセットＤｓは（Ｘｂ，Ｙｂ）に配置されている。なお表示順座標は、画像データＤｐとテキストデータＤｔのどちらか一方、もしくは画像データＤｐとテキストデータＤｔの両方、又はデータセット情報に具備される。
【００３０】
表示順座標軸は、いわばデータセットＤｓを並び替えるためのものであり、コンテンツに応じてＸ軸やＹ軸は種々の要素（条件）で設定することができる。例えば、コンテンツが結婚披露宴の記念写真集であれば、Ｘ軸を時間軸とし、Ｙ軸を場面とすることができる。Ｘ軸方向に進めていくと披露宴の進行にしたがって写真が遷移していく一方で、Ｘ軸を新婦の謝辞の時間で止め、Ｙ軸方向に遷移すると、新婦の表情はや、両親の表情、各テーブルの状況など、新婦謝辞における様々なシーンを楽しむことができる。
【００３１】
図３は、コンテンツを構成する複数（図では１４個）のデータセットＤｓを、２軸からなる表示順座標系に配置した状態を示すモデル図である。表示順座標は、いわばデータセットＤｓの表示順を規定する情報であり、表示されたデータセットＤｓから遷移するときは、そのデータセットＤｓに付された表示順座標が参照される。例えば、図３のデータセットＤｓ２２に着目すると、Ｘ軸方向における次のデータがデータセットＤｓ３２で、前のデータがデータセットＤｓ１２であり、Ｙ軸方向における次のデータがデータセットＤｓ２３で、前のデータがデータセットＤｓ２１である。つまりこの場合、ユーザがＸ軸の前方を入力すればデータセットＤｓ２２からデータセットＤｓ３２に遷移し、Ｙ軸の後方を入力すればデータセットＤｓ２２からデータセットＤｓ２１に遷移する。
【００３２】
図４は、データセットＤｓの遷移操作の一例を示す説明図である。この図を参照して、さらに具体的にデータセットＤｓの遷移について説明する。この図では、右が正（＋）で左が負（−）となるように横方向にＸ軸が設定され、上が正（＋）で下が負（−）となるように縦方向にＹ軸が設定されており、表示手段１０７には図３に示すデータセットＤｓ２２が表示されている。したがって、ユーザが表示手段１０７を右向きにフリックすると、データセットＤｓ２２からデータセットＤｓ３２に遷移し、下向きにフリックすると、データセットＤｓ２２からデータセットＤｓ２１に遷移する。もちろん、フリック操作に代えて、スワイプやタップ（ダブルタップ）を採用することもできるし、前方遷移と後方遷移のアイコンを用意することもできる。
【００３３】
表示順座標系は、２軸に限らず３軸、あるいは４軸以上からなる座標系とすることもできる。図５は、３軸からなる表示順座標系を示すモデル図である。この図では便宜上、左右方向の表示順座標軸をＸ軸、上下方向の表示順座標軸をＹ軸、紙面奥行方向の表示順座標軸をＺ軸としている。この場合のデータセットＤｓは、（Ｘ，Ｙ，Ｚ）の３要素からなる座標を備えており、図５では、左下のデータセットＤｓが（Ｘａ，Ｙａ、Ｚａ）に配置され、右中のデータセットＤｓが（Ｘｂ，Ｙｂ、Ｚｂ）に配置され、左上のデータセットＤｓが（Ｘｃ，Ｙｃ、Ｚｃ）に配置されている。
【００３４】
３軸からなる表示順座標系とした場合、例えば、Ｘ軸を時間軸、Ｙ軸を場面とし、Ｚ軸を対象人物（あるいは対象物）とすることができる。コンテンツが画像を利用したストーリーであれば、Ｘ軸方向に進めていくと、東京の学校に通う主人公を中心に物語が進行していき、Ｘ軸を止めてＹ軸方向に遷移すると、学校の体育館や職員室など主人公の周辺の場面が表現され、さらにＺ軸に遷移すると、九州の学校に転校した友人など主人公とは異なる人物の行動が表現されるわけである。
【００３５】
時間軸に加えて、登場人物や場所という要素を用いてデータどうしを関連付けると、興味深いストーリー展開を実現することができる。具体的には、主役がある行動をとった時、主役の周辺では何が起こっているのか、あるいは主役とは異なる人物はその時刻に何をしていたのか、このようなシーンをユーザの要求に応じて表示させることができるわけである。
【００３６】
図６は、コンテンツを構成する複数（図では２０個）のデータセットＤｓを、３軸からなる表示順座標系に配置した状態を示すモデル図である。なお便宜上、２つの平面座標系で３軸座標系を表現しており、図６（ａ）ではＺ＝１であるＸ−Ｙ座標系を、図６（ｂ）ではＺ＝２であるＸ−Ｙ座標系を示している。この図でデータセットＤｓ３１１に着目すると、Ｘ軸方向における次のデータがデータセットＤｓ４１１で、Ｙ軸方向における次のデータがデータセットＤｓ３２１、Ｚ軸方向における次のデータがデータセットＤｓ３１２である。また、図４で説明すると、Ｘ軸方向やＹ軸方向の遷移は既述したとおりであるが、Ｚ軸方向の遷移は、前方遷移のアイコンＩｃ（＋）や後方遷移のアイコンＩｃ（＋）をタップ操作によって行うことができる。もちろんアイコンＩｃに代えて、斜め上方／斜め下方のフリック操作や、右側／左側でのダブルタップ操作などによって、Ｚ軸方向の遷移を実行することもできる。
【００３７】
（映像の再生）
画像データＤｐやテキストデータＤｔには、映像に関する情報（以下、「映像情報」という。）を持たせることもできる。この場合、画像データＤｐやテキストデータＤｔに表示された再生ボタンなどをユーザが操作することで、所定の映像データを読み出して再生する。再生が終わると、元のデータセットＤｓが再度表示される。
【００３８】
（音声の出力）
画像データＤｐやテキストデータＤｔには、音声に関する情報を（以下、「音声情報」という。）を持たせることもできる。この場合、音声情報を含む画像データＤｐやテキストデータＤｔが表示されたときは、この音声情報に対応する音声データが読み出され、音声出力手段（処理）によって出力される。
【００３９】
（リンクの表示）
画像データＤｐやテキストデータＤｔには、他のサイトへ遷移するためのＵＲＬなどの情報（以下、「リンク情報」という。）を持たせることもできる。この場合、該当する画像データＤｐやテキストデータＤｔが表示されると、あわせてリンク情報も表示手段に表示される。例えば、食べ物のシーンになった時、外食産業のサイトへ案内すると購買意欲が増すため、効果的な宣伝を行うことができる。ＵＲＬのほか、直接広告を表示させたり、アフリエイトの機能を持たせたり、地図を表示させたり、種々のリンク情報を表示させることもできる。
【００４０】
（メタデータ）
既述したとおり画像データＤｐやテキストデータＤｔには、メタデータを持たせることもできる。メタデータとしては、対となる画像データＤｐやテキストデータＤｔの識別子、表示順座標、その他、そのページのシーンの時刻や場所、登場人物といった属性情報を具備させることができる。
【００４１】
２．表示システム
図７は、本願発明の表示システム１００を示すブロック図である。この図を参照しながら、表示システム１００を構成する各要素について詳しく説明する。なお、表示システム１００は、専用のものとして製造することもできるが、汎用的なコンピュータ装置を用いることもできる。このコンピュータ装置は、パソコンや、ｉＰａｄ（登録商標）といったタブレットＰＣ、あるいはＰＤＡ（Ｐｅｒｓｏｎａｌ  Ｄａｔａ  Ａｓｓｉｓｔａｎｃｅ）などによって構成することができる。
【００４２】
（画像データ記憶手段）
画像データＤｐは、画像データ入力編集手段１０１によって入力され、複数の画像データ記憶手段１０２に記憶される。画像データＤｐが、画像情報を含み、対となるテキストデータＤｔの識別子情報をメタデータとして具備することができるのは、既述したとおりである。
【００４３】
（テキストデータ記憶手段）
テキストデータＤｔは、テキストデータ入力編集手段１０３によって入力され、複数のテキストデータ記憶手段１０４に記憶される。テキストデータＤｔが、文字情報を含み、対となる画像データＤｐの識別子情報をメタデータとして具備することができるのは、既述したとおりである。
【００４４】
（遷移情報入力手段）
遷移情報入力手段１０５は、ユーザが入力操作するための手段であり、例えばフリック操作やアイコンのタップ操作によって、表示順座標軸（Ｘ軸／Ｙ軸／Ｚ軸）と、その表示順座標軸における方向（前方／後方）が入力される。
【００４５】
（データセット読出し手段）
データセット読出し手段１０６は、遷移情報入力手段１０５を操作することで入力された表示順座標軸とその方向、そして現在表示されているデータセットＤｓの表示順座標に基づいて、次に表示すべき（遷移後の）データセットＤｓを読み出す。つまり、データセットＤｓを構成する画像データＤｐを画像データ記憶手段１０２から読み出し、テキストデータＤｔをテキストデータ記憶手段１０４から読み出す。
【００４６】
なお、既述したデータセット情報を用意する場合、本願発明の表示システム１００は図８に示すようなブロック図となる。この図に示すように、データセット情報は、データセット情報入力編集手段１０８によって入力され、データセット情報記憶手段１０９に記憶される。そしてデータセット読出し手段１０６は、入力された表示順座標軸とその方向、そして現在表示されているデータセットＤｓの表示順座標に基づいて、次に表示すべきデータセットＤｓのデータセット情報を、データセット情報記憶手段１０９から読み出す。さらに、読み出したデータセット情報に基づいて、データセットＤｓを構成する画像データＤｐとテキストデータＤｔを読み出す。
【００４７】
図９を参照して、さらに詳しくデータセット読出し手段１０６の機能を説明する。はじめにユーザが所定のコンテンツを選択すると、そのコンテンツの先頭（最初のページ）のデータセットＤｓが読み出されて表示される。そして、ユーザが操作することで所望のデータセットＤｓが読み出されて表示される。例えば、表示順座標軸としてＸ軸及びその前方が入力されると、現在表示されているデータセットＤｓのＸ座標における正（＋）方向に隣接するデータセットＤｓが読み出される。あるいは、表示順座標軸としてＺ軸及びその後方が入力されると、現在表示されているデータセットＤｓのＺ座標における負（−）方向に隣接するデータセットＤｓが読み出される。
【００４８】
このときデータセット読出し手段１０６は、表示されているデータセットＤｓの画像データＤｐ、もしくはテキストデータＤｔ、又はデータセット情報に記述された表示順座標を読み取り、入力された表示順座標軸及びその方向に基づいて、遷移後のデータセットＤｓを決定する。そして、決定したデータセットＤｓの表示順座標を具備する画像データＤｐを読み出すとともに、この画像データＤｐに記述された対となるテキストデータＤｔの識別子を読み取って、当該テキストデータＤｔを読み出す。もしくは、決定したデータセットＤｓの表示順座標を具備するテキストデータＤｔを読み出すとともに、このテキストデータＤｔに記述された対となる画像データＤｐの識別子を読み取って、当該画像データＤｐを読み出す。又は、決定したデータセットＤｓの表示順座標を具備するデータセット情報を読み出すとともに、このデータセット情報に記述された識別子に基づいて、１組の画像データＤｐ及び画像データＤｐを読み出す。
【００４９】
（表示手段）
表示手段１０７は、画像データＤｐを画像カードとして描画し、テキストデータＤｔをテキストカードとして表示するとともに、画像データＤｐとテキストデータＤｔからなるデータセットＤｓを１画面内に収まるように表示する。このとき、画像データＤｐとテキストデータＤｔを完全に分離して表示することもできるし、一部を重ねて表示することもできる。
【００５０】
（データ編集手段）
本願発明の表示システム１００は、データセットＤｓを編集することができるデータ編集手段を備えることもできる。データ編集手段は、具体的には図８や図９に示す画像データ入力編集手段１０１、テキストデータ入力編集手段１０２、データセット入力編集手段１０８である。画像データ入力編集手段１０１は、画像データ記憶手段１０２に新たな画像データＤｐを記憶させたり、画像データ記憶手段１０２に記憶された画像データＤｐを削除したり、画像データ記憶手段１０２に記憶された画像データＤｐの表示順座標や対となるテキストデータＤｔの識別子を変更することができる。
【００５１】
テキストデータ入力編集手段１０３は、テキストデータ記憶手段１０４に新たなテキストデータＤｔを記憶させたり、テキストデータ記憶手段１０４に記憶されたテキストデータＤｔを削除したり、テキストデータ記憶手段１０４に記憶されたテキストデータＤｔの表示順座標や対となる画像データＤｐの識別子を変更することができる。
【００５２】
データセット情報入力編集手段１０８は、データセット情報記憶手段１０９に新たなデータセット情報を記憶させたり、データセット情報記憶手段１０９に記憶されたデータセット情報を削除したり、データセット情報記憶手段１０９に記憶されたデータセット情報の表示順座標や対となる画像データＤｐとテキストデータＤｔの識別子の組み合わせ情報を変更することができる。
【産業上の利用可能性】
【００５３】
本願発明の表示システム、及びデータ構造は、画像を含むストーリーコンテンツのほか、フォトブックやイベント記録、日記、自分史、社史、家系図、レシピ、暗記学習カード、など様々なものに利用することができ、今後、あらゆる産業界での応用が期待できる発明である。
【符号の説明】
【００５４】
１００  表示システム
１０１  画像データ入力編集手段
１０２  画像データ記憶手段
１０３  テキストデータ入力編集手段
１０４  テキストデータ記憶手段
１０５  遷移情報入力手段
１０６  データセット読出し手段
１０７  表示手段
１０８  データセット情報入力編集手段
１０９  データセット情報記憶手段
Ｄｐ    画像データ
Ｄｔ    テキストデータ
Ｄｓ    データセット
Ｓｆ    スマートフォン
Ｉｃ（＋）  前方遷移のアイコン
Ｉｃ（−）  後方遷移のアイコン
【要約】
【課題】本願発明の課題は、従来技術が抱える問題を解決することであり、すなわち、閲覧ユーザの興味に応じて、データの表示順を任意に選択することのできる表示システム、及びそのシステムに利用可能なデータ構造を提供することである。
【解決手段】願発明の表示システムは、データセット（１対の画像データとテキストデータ）を表示する表示システムであり、画像データ記憶手段と、テキストデータ記憶手段、データセット読出し手段、表示手段、遷移情報入力手段を備えたものである。なお、画像データ（テキストデータ）は、対となるテキストデータ（画像データ）の情報を具備するとともに、２以上の表示順座標軸からなる表示順座標系における表示順座標を具備している。データセット読出し手段が、入力された表示順座標軸とその方向に基づいて、表示手段に表示されているデータセットの隣に位置するデータセットを読み出す。
【選択図】図６【図１】
0005792404.tif 000002
【図２】
0005792404.tif 000003
【図３】
0005792404.tif 000004
【図４】
0005792404.tif 000005
【図５】
0005792404.tif 000006
【図６】
0005792404.tif 000007
【図７】
0005792404.tif 000008
【図８】
0005792404.tif 000009
【図９】
0005792404.tif 000010